(57)【要約】【課題】液晶表示器の故障発生を防ぎ、プリント画像の彩度低下を抑制する。【解決手段】カラー液晶表示器１１と結像レンズ１３とを結ぶ画像の投影経路２４に、カラー液晶表示器１１からの画像を微小半径の略円運動で揺動させる画像揺動手段１２を設ける。偏芯カム３１は、揺動支持部材３６および偏芯カム３２が配置された側と反対側に配置され、ミラー台座３５の下面中央に当接する。偏芯カム３２は、揺動支持部材３６と対向するようにミラー台座３５の下面に当接する。偏芯カム３１、３２は、回転方向が互いに直交するように配置され、且つ回転位相差を９０°ずらすように偏芯軸が取り付けられる。画像揺動手段１２は、偏芯カム３１、３２を駆動モータ３３、３４により回転駆動することで、ミラー台座３５を介してミラー３０をその面内で交差する２軸の回りに俯仰運動させて、印画紙２６上の画像を微小半径の略円運動で揺動させる。【選択図】        図２
2004151566.tif 000002
【特許請求の範囲】
【請求項１】
画像を表示する液晶表示器と、この液晶表示器に表示された画像を感光材料上に結像させる結像レンズとを備えた画像焼き付け装置において、
前記液晶表示器と結像レンズとを結ぶ画像の投影経路に、液晶表示器からの画像を微小半径の略円運動で揺動させる画像揺動手段を設けたことを特徴とする画像焼き付け装置。
【請求項２】
画像を表示する液晶表示器と、この液晶表示器に表示された画像を感光材料上に結像させる結像レンズとを備えた画像焼き付け装置において、
前記結像レンズと感光材料とを結ぶ画像の投影経路に、液晶表示器からの画像を微小半径の略円運動で揺動させる画像揺動手段を設けたことを特徴とする画像焼き付け装置。
【請求項３】
前記画像揺動手段は、前記投影経路の基準光軸を９０°偏向させる反射部材であることを特徴とする請求項１または２に記載の画像焼き付け装置。
【発明の詳細な説明】
【０００１】
【発明の属する技術分野】
本発明は、液晶表示器に表示された画像を感光材料上に結像させる画像焼き付け装置に関する。
【０００２】
【従来の技術】
ポストカードに使用されるカラープリントや証明写真などを作成する画像焼き付け装置が知られている。この画像焼き付け装置では、液晶表示器を用いてネガ画像やポジ画像を表示し、液晶表示器に光を照射して、液晶表示器から透過した光または液晶表示器で反射した光を結像レンズによって感光材料上に結像させることで、液晶表示器に表示された画像を感光材料に焼き付けている。
【０００３】
液晶表示器は、マトリクス状に配列された１画素毎の液晶セル（画素ピッチ約０．２ｍｍ）の内部にＲＧＢ３色のフィルタを配置して構成される。液晶表示器の各液晶セル間および各フィルタ間は、配線などにより仕切られているため、液晶表示器に表示される画像の画素間には隙間が生じる。このため、液晶表示器に表示された画像を感光材料上に結像させたときに、隙間に対応する部分は露光されないため現像しても発色せず、彩度が低く見た目に薄いプリントになってしまうという問題があった。
【０００４】
上記のような問題点を解決するために、複数の偏芯カムと、これらを同期させて回転させるタイミングベルトとを用いて液晶表示器を微小回転させ、隙間に対応する部分にも露光して発色させ、彩度を向上させて見た目に適正な濃さのプリントを得る方法が提案されている（特許文献１参照）。
【０００５】
【特許文献１】
特開２００２−８２３９０号公報
【０００６】
【発明が解決しようとする課題】
しかしながら、特開２００２−８２３９０号公報に記載される方法では、液晶表示器という精密電子部品を微小回転させるため、配線の接触不良や液晶セルの性能劣化などが発生するおそれがある。また、液晶表示器は他の構成部品と比べて大型であるため、これを回転させる駆動機構も大型且つ複雑になり、装置コストの増大を招いていた。
【０００７】
本発明は、液晶表示器の故障の発生を防ぐとともに、簡単な装置構成でプリント画像の彩度低下を抑制することができる画像焼き付け装置を提供することを目的とする。
【０００８】
【課題を解決するための手段】
上記目的を達成するために、本発明は、画像を表示する液晶表示器と、この液晶表示器に表示された画像を感光材料上に結像させる結像レンズとを備えた画像焼き付け装置において、前記液晶表示器と結像レンズとを結ぶ画像の投影経路に、液晶表示器からの画像を感光材料上で微小半径の略円運動を描くように揺動させる画像揺動手段を設けたことを特徴とする。
【０００９】
なお、前記画像揺動手段は、前記結像レンズと感光材料とを結ぶ画像の投影経路に設けてもよい。また、前記画像揺動手段は、前記投影経路の基準光軸を９０°偏向させる反射部材であることが好ましい。
【００１０】
【発明の実施の形態】
図１に、本発明を実施した画像焼き付け装置の概略構成を示す。画像焼き付け装置２は、ランプおよびリフレクタから構成される光源１０、カラー液晶表示器１１、画像揺動手段１２、および結像レンズ１３などからなる。光源１０はハウジング２０内に配置されており、光源１０の光が照射される側には、赤外線カットフィルタ２１、ＣＭＹの３つのフィルタで構成された調光フィルタ２２が順に配置されている。
【００１１】
カラー液晶表示器１１は、ハウジング２０上面の光源１０の光路上に配置されている。このカラー液晶表示器１１は、支持台２３を介してハウジング２０の上面に固定されており、画像データを供給するパーソナルコンピュータ（図示せず）に接続されている。パーソナルコンピュータには、予めカラーネガフィルムやカラーポジフィルムをスキャナによって読み取った画像データや、この画像データと文字データとを組み合わせた画像データなど、プリントを作成するためのデジタル画像データが記憶されている。なお、画像の焼き付けを行う際に、後述するミラー３０（図２参照）を用いるため、カラー液晶表示器１１にはミラー反転した画像が表示される。
【００１２】
画像揺動手段１２は、カラー液晶表示器１１と結像レンズ１３とを結ぶ画像の投影経路２４（図中２点鎖線で示す）に設けられ、且つ投影経路２４の基準光軸２５（図中１点鎖線で示す）に対して４５°傾けて配置されている。
【００１３】
図２に示すように、画像揺動手段１２は、ミラー３０、偏芯カム３１、３２、および駆動モータ３３、３４などからなる。ミラー３０は、ミラー台座３５上に固定されている。ミラー台座３５の側面には、球面状の摺動部を有する揺動支持部材３６が取り付けられている。また、ミラー台座３５の下面には、２本の付勢バネ３７の一端が係合されている。付勢バネ３７の他端は台座３８に係合され、これによりミラー台座３５は台座３８の方向に付勢される。
【００１４】
偏芯カム３１、３２は、駆動モータ３３、３４により回転駆動される。偏芯カム３１は、揺動支持部材３６および偏芯カム３２が配置された側と反対側に配置され、ミラー台座３５の下面中央に当接している。偏芯カム３２は、揺動支持部材３６と対向するようにミラー台座３５の下面に当接している。また、偏芯カム３１、３２は、回転方向が互いに直交するように配置され、且つ回転位相差を９０°ずらすように偏芯軸が取り付けられている。このように偏芯カム３１、３２、および揺動支持部材３６を配置し、駆動モータ３３、３４により回転方向と回転数を同一にして偏芯カム３１、３２を回転させ、ミラー台座３５を介してミラー３０をその面内で交差する２軸の回りに俯仰運動させて、印画紙２６上の画像を微小半径の略円運動で揺動させる。
【００１５】
図１において、結像レンズ１３は、画像揺動手段１２からの投影画像を縮小して印画紙２６上に結像させる。結像レンズ１３と印画紙２６との間には、ブラックシャッタ２７が配置されている。ブラックシャッタ２７は、画像の露光時間に応じて開閉される。このブラックシャッタ２７、および前述の調光フィルタ２２、画像揺動手段１２の駆動モータ３３、３４は、マイクロコンピュータなどで構成された図示しない制御装置により駆動制御される。
【００１６】
画像の焼き付けを行う際には、まず調光フィルタ２２を制御して光源１０から照射された光を調整した後、パーソナルコンピュータからカラー液晶表示器１１にデジタル画像データを供給して焼き付ける画像のミラー反転した画像を表示する。このとき、駆動モータ３３、３４を駆動させて偏芯カム３１、３２を回転させ、画像揺動手段１２のミラー３０をその面内で交差する２軸の回りに俯仰運動させて、印画紙２６上の画像を微小半径の略円運動で揺動させる。この状態でブラックシャッタ２７を露光時間に応じて開閉し、光源１０から照射された光をカラー液晶表示器１１、画像揺動手段１２、および結像レンズ１３を介して印画紙２６に照射する。これによりカラー液晶表示器１１に表示された画像が印画紙２６上に結像される。
【００１７】
上記のように画像の焼き付けを行うと、印画紙２６上に結像された画像は微小半径で略円運動され、カラー液晶表示器１１で表示される画像の隙間に対応する部分も露光させることができる。したがって、現像されたプリントの彩度が向上して、見た目に適正な濃さのプリントを得ることができる。また、焼き付けられた印画紙２６を現像してプリントを作成したときに、プリントされた画像にざらつきが生じない。
【００１８】
なお、印画紙２６上に結像される画像の画像揺動手段１２による移動量は、カラー液晶表示器１１の画素ピッチが約０．２ｍｍであることから、０．１ｍｍ程度であればよい。また、上記実施形態では、画像揺動手段１２を液晶表示器１１と結像レンズ１３とを結ぶ画像の投影経路２４に設けているが、結像レンズ１３と印画紙２６とを結ぶ画像の投影経路２４に設けてもよい。
【００１９】
さらに、画像を揺動させる方法としては、図３に示すような画像揺動手段を用いてもよい。この画像揺動手段４１は、駆動モータ４２により画像の投影経路４３（図中２点鎖線で示す）の基準光軸４４（図中１点鎖線で示す）と直交する方向に回転駆動されるプリズム４５からなる。このプリズム４５は、基準光軸４４上で対向する２面間のなす角が極めて小さいガラス板からなる。画像の焼き付けを行う際には、駆動モータ４２を駆動させてプリズム４５を回転させることにより、カラー液晶表示器４６に表示された画像を揺動させながら、結像レンズ４７を介して印画紙４８に結像する。なお、この場合、カラー液晶表示器４６にはミラー反転されない正像が表示される。また、プリズム４５の光路差による画像への影響は、画像の移動量が０．１ｍｍ程度と微小であるので無視することができる。
【００２０】
【発明の効果】
以上のように、本発明の画像焼き付け装置によれば、液晶表示器と結像レンズとを結ぶ画像の投影経路に、液晶表示器からの画像を微小半径の略円運動で揺動させる画像揺動手段を設けたので、精密機器である液晶表示器の故障の発生を防ぐとともに、簡単な装置構成でプリント画像の彩度低下を抑制することができる。
【図面の簡単な説明】
【図１】本発明の画像焼き付け装置の概略構成を示す図である。
【図２】画像揺動手段の構成を示す図であり、（Ａ）は上部平面図、（Ｂ）は側面図である。
【図３】画像揺動手段の別の実施形態を示す図である。
【符号の説明】
２  画像焼き付け装置
１１  カラー液晶表示器
１２  画像揺動手段
１３  結像レンズ
２４  投影経路
２５  基準光軸
２６  印画紙
３０  ミラー
３１、３２  偏芯カム
３３、３４  駆動モータ
【図１】
2004151566.tif 000003
【図２】
2004151566.tif 000004
【図３】
2004151566.tif 000005